(57)【要約】【課題】  お供え餅の飾りとなる中空状の飾り果実本体に、その蔕部材を簡単、確実に一体化し、両者が分離、解体されないようにする。【解決手段】  中空状の飾り果実本体１と、葉を模した葉部１２を突設させて枝柄を模した柄部１１からなる蔕部材１０とから成る。また、飾り果実本体１の外側面に突設した連結突起２に被さるように嵌め合わせる連結孔１６を柄部１１に、また飾り果実本体１に開口形成した嵌込孔３に嵌め入れる嵌入ピン１７を葉部１２に夫々設けて成る連結手段１５を備える。飾り果実本体１はブロー成形にて形成し、嵌込孔３はブロー成形時の圧縮空気の吹き込み部位として構成する。また連結手段１５の柄部１１下端に飾り果実本体１の外側面に当接する飾り蔕部１８をフランジ状に形成する。【選択図】      図１
2006158554.tif 000002
【特許請求の範囲】
【請求項１】
中空状の飾り果実本体と、葉を模した葉部を突設させて枝柄を模した柄部からなる蔕部材と、飾り果実本体の外側面に突設した連結突起に被さるように嵌め合わせる連結孔を柄部に、また飾り果実本体に開口形成した嵌込孔に嵌め入れる嵌入ピンを葉部に夫々設けて成る連結手段とを備えて成ることを特徴とする飾り用模擬果実。
【請求項２】
飾り果実本体はブロー成形にて形成され、嵌込孔はブロー成形時の圧縮空気の吹き込み部位としてある請求項１に記載の飾り用模擬果実。
【請求項３】
柄部下端に飾り果実本体の外側面に当接する飾り蔕部をフランジ状に形成してある請求項１または２に記載の飾り用模擬果実。
【請求項４】
連結突起、嵌込孔相互の間隔と、柄部、嵌入ピン相互の間隔とが互いに強制的に嵌め合い可能な程度で異なっている請求項１乃至３のいずれかに記載の飾り用模擬果実。
【発明の詳細な説明】
【技術分野】
【０００１】
本発明は例えば正月、祝い事その他の祭事に際し飾り付けられるよう例えばお供え餅の上部に置かれる飾り用の蜜柑の如き飾り果実を模した飾り用模擬果実に関する。
【背景技術】
【０００２】
従来から正月や祝い事等に際し、飾り重ね餅が用いられており、その飾りには大小の円形状のお供え餅を２段に重ね、その上に蜜柑等の果実を飾りとして置いている。その飾りのための果実代用品として例えば特許文献１に係る飾り果実が提案されており、これは合成樹脂製の中空な果実本体の頂部に挿入孔を設けておき、蔕状の挿入規制部を有する柄をその上側の摘持部によって摘んで挿入孔に挿入したもので、挿入規制部によって挿入孔内への必要以上の挿入が規制され、あたかも実際の飾り果実様の趣を呈するようになる。
【特許文献１】特許第３０１０２８６号公報
【発明の開示】
【発明が解決しようとする課題】
【０００３】
ただこの従来提案の飾り果実は、実際上はブロー成形によって果実本体を形成するために内部が中空で、軽量に形成されるから、安価に製作、提供できる利点があるも、葉・柄を模した摘持部を果実本体に取り付け一体化するに際し、手指等で果実本体を支持しておいて摘持部を果実本体の挿入孔に挿入するために、薄肉な果実本体壁を手指等で窪ませてしまうことがある。そればかりでなく、摘持部はその柄を挿入孔内に挿入するのみであるから、その挿入状態が確実、安定していないと、挿入後の柄の摘持部を摘んで取り扱う場合に、柄を強く引いたときには果実本体から抜け出し、離反してしまうことがある。
【０００４】
そこで本発明は叙上のような従来存した諸事情に鑑み創出されたもので、例えばブロー成形された中空の橙色を呈する飾り果実本体に、緑色を呈する葉、枝柄等の蔕部材を取り付け一体化するに際し、複数箇所による凹凸の嵌め合い式とすることで従来の欠点を解消し、また突部状となる蔕部材部分を摘み上げても飾り果実本体から離反、解体されることなく飾り果実本体と確実・安定的に一体化されている飾り用模擬果実を提供することを目的とする。
【課題を解決するための手段】
【０００５】
上述した課題を解決するため、本発明にあっては、中空状の飾り果実本体１と、葉を模した葉部１２を突設させて枝柄を模した柄部１１からなる蔕部材１０と、飾り果実本体１の外側面に突設した連結突起２に被さるように嵌め合わせる連結孔１６を柄部１１に、また飾り果実本体１に開口形成した嵌込孔３に嵌め入れる嵌入ピン１７を葉部１２に夫々設けて成る連結手段１５とを備えて成る。
飾り果実本体１はブロー成形にて形成され、嵌込孔３はブロー成形時の圧縮空気の吹き込み部位として構成することができ、また柄部１１下端に飾り果実本体１の外側面に当接する飾り蔕部１８をフランジ状に形成して構成することができる。
更には、連結突起２、嵌込孔３相互の間隔Ｌ１と、柄部１１、嵌入ピン１７相互の間隔Ｌ２とが互いに強制的に嵌め合い可能な程度で異なっているものとして構成することができる。
【０００６】
以上のように構成された本発明に係る飾り用模擬果実にあって、飾り果実本体１の連結突起２に連結孔１６にて嵌め込み、嵌込孔３に嵌入ピン１７を嵌め入れることで飾り果実本体１に取り付けられる蔕部材１０は、飾り果実本体１と複数箇所の嵌め合いで確実に一体化され、例えば蔕部材１０によって摘み上げても飾り果実本体１から分離、解体されない。
飾り果実本体１と蔕部材１０との一体的な取り付け構造は、凹凸の２箇所による嵌め込み、嵌め入れとなって、飾り果実本体１に対して蔕部材１０の相対的な移動をも阻止させ、取り付け状態を確実、安定化させる。
連結突起２、嵌込孔３相互の間隔Ｌ１と、柄部１１、嵌入ピン１７相互の間隔Ｌ２との相違は、連結突起２、柄部１１相互、嵌込孔３、嵌入ピン１７相互を強制的に嵌め合わせさせ、一層強い飾り果実本体１と蔕部材１０との結合を実現させる。
【発明の効果】
【０００７】
本発明は以上のように構成されているために、例えばブロー成形された中空の橙色を呈する飾り果実本体１に、緑色を呈する葉、枝柄等の蔕部材１０を凹凸の複数箇所の嵌め合わせによって一体化することで、従来であれば単なる１箇所の挿入、嵌め込み式の結合であったのに比し、簡単には分離、解体されなくなる。そのため、飾り果実本体１から外部に突部状となっている蔕部材１０部分を摘み上げても、これが飾り果実本体１から離反、解体されることなく飾り果実本体１と確実・安定的に一体化されたものとなる。
【０００８】
すなわちこれは、本発明において、中空状の飾り果実本体１に、葉部１２、柄部１１から成る蔕部材１０を、飾り果実本体１の外側面に突設した連結突起２に被さるように嵌め合わせる連結孔１６を柄部１１に、また飾り果実本体１に開口形成した嵌込孔３に嵌め入れる嵌入ピン１７を葉部１２に夫々設けて成る連結手段１５によって取り付けたからであり、これによって、飾り果実本体１、蔕部材１０両者を一体化でき、その組立を確実にさせることができる。
【０００９】
また、飾り果実本体１はブロー成形にて形成されるから、比較的に安価に製作、提供でき、しかも、ブロー成形時の圧縮空気の吹き込み部位を嵌込孔３とし、その近傍に連結突起２を設けるから、複雑な金型を構成する必要がなく、金型構成を簡素化することで安価な製作を容易にする。
【００１０】
更には飾り果実本体１と蔕部材１０とは２箇所の凹凸の嵌め合い、嵌め入れによって一体化されるから、飾り果実本体１に対して蔕部材１０が相対的に移動することがなく、その取り付け状態は安定しており、確実な取り付け状態となることで取り扱いを容易にすることもできる。
【００１１】
そればかりでなく、連結手段１５における連結突起２、柄部１１相互、嵌込孔３、嵌入ピン１７相互は、連結突起２、嵌込孔３相互の間隔Ｌ１と、柄部１１、嵌入ピン１７相互の間隔Ｌ２とが相違していることで、半ば強制的に嵌め合わせられるから、飾り果実本体１と蔕部材１０とを一層強く結合させることができる。
【００１２】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１３】
以下図面を参照して本発明を実施するための最良の一形態を説明すると、図において示される符号１は例えばブロー成形にて形成された中空状の飾り果実本体であり、例えば二段重ねのお供え餅Ｍの上面に載置される所定の大きさに形成される。この飾り果実本体１自体は、実際上の例えば蜜柑表面における細かい凹凸模様が付されており、表面は蜜柑色を呈するように着色され、必要に応じて例えば頂部及びその近傍部等が部分的に緑色に着色されることもある。この飾り果実本体１の底面は、お供え餅Ｍの頂部の湾曲面に対応した曲率を有する湾曲面とすることで、お供え餅Ｍの頂部に置いたときの安定性の向上を図り得る。
【００１４】
また、この中空状の飾り果実本体１には、例えば実際上の蜜柑が生っている枝柄及び葉を模して、例えば緑色を呈する合成樹脂材にて一体に形成されている蔕部材１０が連結手段１５を介して取り付けられる。蔕部材１０自体は、葉を模した葉部１２と、この葉部１２を突設させていて、枝柄を模した有底筒状の柄部１１とから成り、飾り果実本体１に取り付けた状態では飾り果実本体１の上面で突出配置されるようにしてある。図示例の葉部１２は、大小の２枚の葉を互いにほぼ直交状に配置して柄部１１から突出形成してあり、場合によれば飾り果実本体１の外側面に沿って湾曲形成してある。
【００１５】
連結手段１５は、飾り果実本体１の外側面に突設した連結突起２に被さるように嵌め合わせる連結孔１６を柄部１１に、また飾り果実本体１に開口形成した嵌込孔３に嵌め入れる嵌入ピン１７を葉部１２に夫々設けると共に、柄部１１下端に飾り果実本体１の外側面に当接する飾り蔕部１８をフランジ状に形成して成る。
【００１６】
そして、嵌込孔３は、飾り果実本体１を成形するときの圧縮空気の吹き込み部位として飾り果実本体１自体に開口形成されている吹き込み口をそのまま利用するものとし、飾り果実本体１の成形容易性を考慮して飾り果実本体１の頂部の中央位置に設けられる。また連結突起２は、この嵌込孔３近傍に飾り果実本体１の外側面に突設形成するもので、蔕部材１０自体が飾り果実本体１の頂部のほぼ中央に位置するように、また、飾り果実本体１に蔕部材１０が取り付けられたときの葉部１２自体の揺れ動きを阻害させないように嵌入ピン１７は葉部１２の基部裏面に位置して設けられることに対応して、連結突起２、嵌込孔３夫々は相互に近接して設けられる。
【００１７】
更には、連結突起２、嵌込孔３相互の間隔Ｌ１と、柄部１１、嵌入ピン１７相互の間隔Ｌ２とが互いに強制的に嵌め合い可能な程度で異なっているものとしてある。一方、これらの連結突起２と連結孔１６、嵌込孔３と嵌入ピン１７夫々の嵌め込み、嵌め入れは可能な限り、強制的に行われるように孔径、突起大きさ、ピン径等が考慮されることもある。  
【００１８】
また、飾り蔕部１８は連結突起２に対する柄部１１の嵌め込み状態において、連結突起２を隠蔽する役割も果たす。
【００１９】
次にこれの組立を説明すると、例えばブロー成形された飾り果実本体１の嵌込孔３に蔕部材１０の嵌入ピン１７を嵌め入れると同時に、連結突起２に柄部１１の連結孔１６を嵌め合わせることで、飾り果実本体１に蔕部材１０を取り付ける。そしてその使用は図３に示すように、例えば２段重ねのお供え餅Ｍの頂部に置くものとする。
【図面の簡単な説明】
【００２０】
【図１】本発明を実施するための最良の形態を示す含む分解斜視図である。
【図２】同じく断面図である。
【図３】同じく使用状態の斜視図である。
【符号の説明】
【００２１】
Ｌ１…連結突起、嵌込孔相互の間隔        Ｌ２…柄部、嵌入ピン相互の間隔
Ｍ…お供え餅
１…飾り果実本体                        ２…連結突起
３…嵌込孔
１０…蔕部材                            １１…柄部
１２…葉部
１５…連結手段                          １６…連結孔
１７…嵌入ピン                          １８…飾り蔕部
【図１】
2006158554.tif 000003
【図２】
2006158554.tif 000004
【図３】
2006158554.tif 000005